(57)【要約】      （修正有）【課題】作業者が上方を仰ぎ見ても、ヘルメットが作業者の眼の前にズレることを防止したヘルメット支持補助具を提供する。【解決手段】ヘルメットを後方から支持するヘルメット支持補助具１００であって、前記ヘルメットを装着した作業者の両肩に当接する当接部１１０と、当該当接部１１０の間を連結する連結部１２０と、前記当接部１１０から上方に向けて延びる延出部１３０と、を備え、前記両側の延出部１３０の間には、支持バンド１４０が取り付けられ、当該支持バンド１４０は、作業者が上方を仰ぎ見る際に、前記ヘルメットの後面に当接する位置に取り付けられている。【選択図】図１
0003216895.tif 000002
【実用新案登録請求の範囲】
【請求項１】
ヘルメットを後方から支持するヘルメット支持補助具であって、
前記ヘルメットを装着した作業者の両肩に当接する当接部と、
当該当接部の間を連結する連結部と、
前記当接部から上方に向けて延びる延出部と、を備え、
前記両側の延出部の間には、支持バンドが取り付けられ、
当該支持バンドは、作業者が上方を仰ぎ見る際に、前記ヘルメットの後面に当接する位置に取り付けられていることを特徴とするヘルメット支持補助具。
【請求項２】
前記作業者の首の付け根から前記ヘルメットの後方の下端の間には、前記作業者の首が露出する露出窓が形成されていることを特徴とする請求項１に記載のヘルメット支持補助具。
【請求項３】
前記支持バンドは可撓性を備えており、
前記両側の延出部は、互いに近接するように弾性変形可能に構成されていることを特徴とする請求項１又は２に記載のヘルメット支持補助具。
【請求項４】
前記両側の延出部の先端は互いに独立していることを特徴とする請求項１から３のいずれかに記載のヘルメット支持補助具。
【考案の詳細な説明】
【技術分野】
【０００１】
本考案は、ヘルメットを着用した作業者が上方を仰ぎ見る際に、当該ヘルメットを支持するヘルメット支持補助具に関する。
【背景技術】
【０００２】
従来から各種作業を行う際は、頭部保護のために、作業者はヘルメットを着用している。このヘルメットは、安全性の確保のために、固く頑丈な素材で出来ており、ある程度の重量がある。そして、電線等の高所での作業確認のため、作業者が上方を仰ぎ見る際、ヘルメットの重量によって、作業者の首には負担が掛かっていた。そこで、その負荷を軽減するために、従来から様々な補助部材が提案されている。これらの補助部材は、作業者の首に宛がわれるもので、作業者の首を直接支持するというものである。
【０００３】
しかしながら、この補助部材は首の周囲に宛がわれるように取り付けるものなので、作業者が上方を仰ぎ見た際に、ヘルメットの後方の下端が、首の周囲に宛がわれた補助部材に当接してしまう。すると、ヘルメットは補助部材によって前方へ押し出され、ヘルメットの前方が作業者の眼の前までズレ込むことがある。その結果、作業者が上方を仰ぎ見ると、ヘルメットが眼の前にズレて視界に入り込んでしまい、作業の邪魔になるという問題があった。
【考案の概要】
【考案が解決しようとする課題】
【０００４】
そこで、本考案は、上記問題に鑑み、作業者が上方を仰ぎ見ても、ヘルメットが作業者の眼の前にズレることを防止したヘルメット支持補助具を提供するものである。
【課題を解決するための手段】
【０００５】
上記課題を解決するために、本考案のヘルメット支持補助具は、ヘルメットを後方から支持するヘルメット支持補助具であって、前記ヘルメットを装着した作業者の両肩に当接する当接部と、当該当接部の間を連結する連結部と、前記当接部から上方に向けて延びる延出部と、を備え、前記両側の延出部の間には、支持バンドが取り付けられ、当該支持バンドは、作業者が上方を仰ぎ見る際に、前記ヘルメットの後面に当接する位置に取り付けられていることを特徴とする。
【０００６】
当該特徴によって、作業者が上方を仰ぎ見た際に、支持バンドがヘルメットの後面に当接する位置に取り付けられているので、ヘルメットを後方から安定して支持できる。さらに、支持バンドがヘルメットの後面に当接する位置に取り付けられているので、従来技術のように、支持バンドがヘルメットの下端に当接することがない。そのため、作業者が上方を仰ぎ見た際に、ヘルメットの下端が支持バンドに当接して、ヘルメットが作業者の眼の前にズレてしまうことを防止できる。
【０００７】
さらに、上記課題を解決するために、本考案のヘルメット支持補助具は、前記作業者の首の付け根から前記ヘルメットの後方の下端の間には、前記作業者の首が露出する露出窓が形成されていることを特徴とする。
【０００８】
当該特徴によって、露出窓から作業者の首が露出しているので、首周辺がヘルメット支持補助具によって覆われることが無く、作業性が良い。また、首周辺が蒸れたりしないので、快適性も向上している。
【０００９】
さらに、上記課題を解決するために、本考案のヘルメット支持補助具は、前記支持バンドは可撓性を備えており、前記両側の延出部は、互いに近接するように弾性変形可能に構成されていることを特徴とする。
【００１０】
当該特徴によって、作業者が上方を仰ぎ見た際、両側の延出部が互いに近接するように弾性変形する。そのため、延出部に取り付けられた支持バンドが、ヘルメットの後方の表面形状に沿ってより撓みやすくなり、ヘルメットをより安定して支持できる。また、支持バンドがヘルメットの後方の表面形状に沿ってより撓みやすくなるので、支持バンドはヘルメットを沈み込ませるように支持できる。そのため、ヘルメットが前方へズレにくく、ヘルメットが作業者の眼の前にズレて、視界を遮ってしまうことをより確実に防止できる。
【００１１】
さらに、上記課題を解決するために、本考案のヘルメット支持補助具は、前記両側の延出部の先端は互いに独立していることを特徴とする。
【００１２】
当該特徴によって、延出部の先端同士を連結する部分が無いので、作業者が上方を仰ぎ見ても、当該連結する部分がヘルメットの後方に当接することがなく、ヘルメットが前方へズレることを防止できる。さらに、延出部の先端側から支持バンドを簡単に取り付けることができ、ヘルメット支持補助具の製造作業が容易となる。
【考案の効果】
【００１３】
上記の本考案によれば、作業者が上方を仰ぎ見ても、ヘルメットが作業者の眼の前にズレることを防止できる。
【図面の簡単な説明】
【００１４】
【図１】本考案のヘルメット支持補助具の全体斜視図である。
【図２】本考案のヘルメット支持補助具の背面図である。
【図３】本考案のヘルメット支持補助具の側面図である。
【図４】作業員にヘルメット支持補助具を取り付けた状態の側面図である。
【図５】作業員にヘルメット支持補助具を取り付けた状態の背面図である。
【図６】作業員にヘルメット支持補助具を取り付けた状態であって、作業員が上方を仰ぎ見た状態の側面図である。
【図７】作業員にヘルメット支持補助具を取り付けた状態であって、作業員が上方を仰ぎ見た状態の背面図である。
【図８】本考案の変形例に係るヘルメット支持補助具の側面図である。
【符号の説明】
【００１５】
１００        ヘルメット支持補助具
１１０        当接部
１２０        連結部
１３０        延出部
１４０        支持バンド
Ｐ            作業者
Ｓ            肩
Ｈ０          ヘルメット
Ｈ１          後方
【考案を実施するための形態】
【００１６】
以下に、本考案の実施の形態について、図面を用いて説明する。なお、以下の説明において参照する各図の形状は、好適な形状寸法を説明する上での概念図又は概略図であり、寸法比率等は実際の寸法比率とは必ずしも一致しない。つまり、本考案は、図面における寸法比率に限定されるものではない。
【００１７】
図１は、本考案のヘルメット支持補助具１００の全体斜視図、図２は、当該ヘルメット支持補助具１００の背面図、図３は、当該ヘルメット支持補助具１００の側面図である。図に示すように、ヘルメット支持補助具１００は、２つの当接部１１０と、当該当接部１１０同士の間を連結する連結部１２０と、前記当接部１１０から上方に向けて延びる延出部１３０と、当該延出部１３０の間に掛け渡された支持バンド１４０とを備える。
【００１８】
この当接部１１０、連結部１２０、及び延出部１３０は、一本の金属製のワイヤを図に示すような形状に湾曲させて形成したもので、当該ワイヤの先端が、ちょうど延出部１３０の先端１３１となっている。また、当接部１１０は、作業者の両肩にそれぞれ当接するもので、互いの当接部１１０の間隔は、作業者の首の付け根の両側の幅より広くなっている。また、連結部１２０は、作業者の首の付け根から背中に沿って当接する部分であり、作業者の背中の形状に合わせて丸味を帯びた形状となっている。
【００１９】
また、延出部１３０の先端１３１は互いに独立しているので、作業者が上方を仰ぎ見た際にヘルメットの後方が、先端１３１に当接することがない。なお、延出部１３０の先端１３１は互いに独立しているが、これに限定されず、先端１３１同士がワイヤ等で連結されていてもよい。ただし、その連結箇所が、ヘルメットの後方に当接しないようにヘルメットの後方を避けるような形状にする必要がある。なお、延出部１３０の先端１３１には、キャップが嵌められている。
【００２０】
さらに、ヘルメット支持補助具１００を構成する一本の金属製のワイヤは適度な弾性を備えているので、両側の延出部１３０は、互いに近接するように弾性変形することができる。詳しくは後述するが、ヘルメットに押されて支持バンド１４０が後方に撓むと、支持バンド１４０に引っ張れるようにして、両側の延出部１３０は互いに近接するように弾性変形するのである。
【００２１】
なお、当接部１１０、連結部１２０、及び延出部１３０は、一本の金属製のワイヤを湾曲させて形成しているが、これに限定されず、例えば、個別に製造された各部分を互いに連結固定してもよい。また、当接部１１０、連結部１２０、及び延出部１３０は金属製のワイヤ状部材に限定されず、ヘルメットを支持できる強度を備えていれば、その他の任意の素材で任意の形状としてもよい。また、両側の延出部１３０は、互いに近接するように弾性変形しているが、これに限定されず、両側の延出部１３０が弾性変形しない構成であってもよい。
【００２２】
次に、延出部１３０の上端側に設けられた支持バンド１４０は、後述するようにヘルメットの後方の表面に沿って当接する位置に配置されている。この支持バンド１４０は、延出部１３０間に掛け渡されて、適度な可撓性を備える素材で出来ている。さらに、支持バンド１４０は、ヘルメットを支持バンド１４０に当接させたまま滑らせて上下左右に動かしやすいように、ヘルメット表面との摩擦が低い素材で出来ている。そのため、作業者が首を左右に振っても、ヘルメットはズレる事無く首の動きに追従するので、作業の妨げになることはない。また、支持バンド１４０は両端に挿通孔１４１を備えているので、延出部１３０の先端１３１を挿通孔１４１に挿通させて、支持バンド１４０を延出部１３０間に掛け渡すように取り付けている。なお、支持バンド１４０は、ヘルメットの後方の表面に沿って当接できるように、適度な可撓性を備える素材で出来ているが、これに限定されず、ヘルメットの後方の表面を支持できるのであれば、任意の形状の任意の素材を用いることができる。
【００２３】
また、当接部１１０の間には首部バンド１７０が掛け渡すように取り付けられており、この首部バンド１７０は作業者の首の付け根の後方に当接するものである。さらに、当接部１１０には取付ベルト１５０が取り付けられている。この取付ベルト１５０の両側のワイヤ部分には固定部材１１１が取り付けられており、取付ベルト１５０がワイヤ部分に沿ってズレないように固定されている。また、詳しくは、後述するが、この取付ベルト１５０と首部バンド１７０を用いて、ヘルメット支持補助具１００を作業者の首の付け根付近に固定している。
【００２４】
さらに、支持バンド１４０は首部バンド１７０から離間しており、支持バンド１４０と首部バンド１７０の間には露出窓１６０が形成されている。この露出窓１６０は、作業者の首の付け根からヘルメットの後方の下端の間に位置するもので、作業者の首を外部に露出させるものである。なお、ヘルメット支持補助具１００は露出窓１６０を備えているが、これに限定されず、例えば、作業者の首を外部から保護したい場合には、露出窓１６０を覆う様に保護部材を取り付けても良いし、また、作業者の首を冷やしたり、暖めたりしたい場合は、露出窓１６０を覆う様に冷暖房用部材を取り付けてもよい。
【００２５】
では、次に図４から図７を参照して、ヘルメット支持補助具１００の使用態様について説明する。なお、図４は作業員にヘルメット支持補助具１００を取り付けた状態の側面図、図５は当該状態の背面図、図６は作業員が上方を仰ぎ見た状態の側面図、図７は当該状態の背面図である。
【００２６】
まず、図４及び図５に示すように、作業者Ｐの両側の肩Ｓにヘルメット支持補助具１００を取り付ける。具体的には、ヘルメット支持補助具１００の首部バンド１７０を首Ｎの後方から宛がい、当接部１１０を肩Ｓに当接させ、連結部１２０を肩Ｓから背中Ｍに宛がう。その状態で、ヘルメット支持補助具１００の取付ベルト１５０を作業者Ｐの前方の胸部Ｋ側へ延ばし、取付ベルト１５０の先端側（当接部１１０との連結箇所とは反対側）を、作業者Ｐの胸部Ｋ側の一部（例えば、作業者Ｐの体に固定されたハーネスの腰ベルト）に固定する。
【００２７】
図４に示すように、作業者Ｐが前方を向いて作業を行っている場合は、ヘルメットＨ０の後面Ｈ１は、支持バンド１４０に当接していない。また、図５に示すように、露出窓１６０によって首Ｎの後方が外部に露出している。
【００２８】
では次に、図６及び７を参照して、作業者Ｐが上方を仰ぎ見る場合について説明する。図６及び図７に示すように、作業者Ｐが上方を仰ぎ見ると、作業者Ｐの頭部に装着されているヘルメットＨ０も共に上方に傾く。すると、ヘルメットＨ０の後面Ｈ１は後方へ傾き、ヘルメット支持補助具１００の支持バンド１４０に当接する。この支持バンド１４０は、作業者が上方を仰ぎ見た際に、ヘルメットＨ０の後面Ｈ１の表面に沿って当接している。さらに、支持バンド１４０は、ヘルメットＨ０の後面Ｈ１の表面の形状に合わせて撓んでおり、ヘルメットＨ０をしっかりと安定して支持している。
【００２９】
このように、本願発明のヘルメット支持補助具１００によれば、作業者が上方を仰ぎ見た際に、支持バンド１４０がヘルメットＨ０の後面Ｈ１に当接する位置に取り付けられているので、ヘルメットＨ０を後方から安定して支持できる。さらに、支持バンド１４０がヘルメットＨ０の後面Ｈ１に当接する位置に取り付けられているので、従来技術のように、支持バンド１４０がヘルメットＨ０の下端Ｈ２に当接することがない。そのため、作業者が上方を仰ぎ見た際に、ヘルメットＨ０の下端Ｈ２が支持バンド１４０に当接して、ヘルメットＨ０が作業者の眼の前にズレてしまうことを防止できる。
【００３０】
また、本願発明のヘルメット支持補助具１００によれば、露出窓１６０から作業者Ｐの首Ｎが露出しているので、首Ｎ周辺がヘルメット支持補助具１００によって覆われることが無く、作業性が良い。また、首Ｎ周辺が蒸れたりしないので、快適性も向上している。
【００３１】
また、本願発明のヘルメット支持補助具１００によれば、図７に示すように作業者が上方を仰ぎ見た際、支持バンド１４０に引っ張られ、両側の延出部１３０が互いに近接するように弾性変形している。そのため、延出部１３０に取り付けられた支持バンド１４０が、ヘルメットＨ０の後面Ｈ１の表面形状に沿ってより撓みやすくなり、ヘルメットＨ０をより安定して支持できる。また、支持バンド１４０がヘルメットＨ０の後面Ｈ１の表面形状に沿ってより撓みやすくなるので、支持バンド１４０はヘルメットＨ０を沈み込ませるように支持できる。そのため、ヘルメットＨ０が前方へズレにくく、ヘルメットＨ０が作業者の眼の前にズレて、視界を遮ってしまうことをより確実に防止できる。
【００３２】
また、図６及び図７に示すように、延出部１３０は、ヘルメットＨ０に押されて後方へ僅かに弾性変形することもできる。そのため、延出部１３０は、作業者が上方を仰ぎ見る動作を邪魔することがない。さらに、図４及び図６に示すように、延出部１３０は作業者Ｐの首Ｎより後方へ配置されていることから、作業者の視野に入る事が無く、作業の邪魔になることはない。
【００３３】
また、本願発明のヘルメット支持補助具１００によれば、図６及び図７に示すように、両側の延出部１３０の先端１３１は、互いに独立しており、先端１３１を連結する部分を備えていない。そのため、作業者が上方を仰ぎ見ても、先端１３１同士を連結する部分が無いので、当該連結する部分がヘルメットＨ０の後面Ｈ１に当接することがなく、ヘルメットＨ０が前方へズレることを防止できる。さらに、先端１３１側から支持バンド１４０を簡単に取り付けることができ、ヘルメット支持補助具１００の製造作業が容易となる。
【００３４】
また、図８には、本考案の変形例に係るヘルメット支持補助具１００Ａの側面図を示す。なお、このヘルメット支持補助具１００Ａの構成は、当接部１１０Ａの形状が、図１から図７に示すヘルメット支持補助具１００の構成と異なっているが、その他の構成は共通するので、その共通する構成については、詳細な説明は省略する。
【００３５】
図８に示すように、当接部１１０Ａの一部が略コ字状に屈曲しており、当該屈曲した部分に、取付ベルト１５０Ａが取り付けられている。そのため、この取付ベルト１５０Ａは、当接部１１０Ａの屈曲した部分にズレる事無く固定されているのである。このような構成によって、図８に示すヘルメット支持補助具１００Ａでは、図１から図７に示すヘルメット支持補助具１００の固定部材１１１が不要となり、製造コストを削減することが出来るのである。
【００３６】
なお、本考案のヘルメット支持補助具は、上記の実施例に限定されず、実用新案登録請求の範囲に記載された範囲、実施形態の範囲で、種々の変形例、組み合わせが可能であり、これらの変形例、組み合わせも本考案の範囲に含むものである。
【図１】
0003216895.tif 000003
【図２】
0003216895.tif 000004
【図３】
0003216895.tif 000005
【図４】
0003216895.tif 000006
【図５】
0003216895.tif 000007
【図６】
0003216895.tif 000008
【図７】
0003216895.tif 000009
【図８】
0003216895.tif 000010